(57)【要約】【課題】容易に既存配管を撤去することができる既存配管の撤去装置および既存配管の撤去方法を提供することである。【解決手段】  本発明に係る既存配管の撤去装置１００においては、既存配管５００の一部が切断された部位に油圧ジャッキ部３００が挿入され、既存配管５００に対して油圧ジャッキ部３００により下方へ力Ｆが与えられる。また、油圧ジャッキ部３００の下方に設けられた落下防止部３８０により配管５００の落下が防止される。【選択図】図１
2014118779.tif 000002
【特許請求の範囲】
【請求項１】
建築物でスラブを縦方向に貫通している既存配管を撤去する既存配管の撤去装置であって、
前記既存配管の一部が切断された部位に挿入され、前記既存配管に対して下方へ負荷を与えるための伸縮装置と、
前記伸縮装置の上下の少なくとも一方の長さを調整する長さ調整部と、を含むことを特徴とする既存配管の撤去装置。
【請求項２】
前記伸縮装置は、前記負荷を与えるために、前記既存配管の内径より大きく前記既存配管の外形より小さい第１円筒部と、前記既存配管の内径よりも小さい第２円筒部と、を有することを特徴とする請求項１記載の既存配管の撤去装置。
【請求項３】
前記第１円筒部は、前記負荷を与えるために、外周面に凹凸形状が形成された凹凸筒からなることを特徴とする請求項２記載の既存配管の撤去装置。
【請求項４】
前記伸縮装置は、油圧ジャッキを含むことを特徴とする請求項１から３のいずれか１項に記載の既存配管の撤去装置。
【請求項５】
前記伸縮装置は、下方に配管が落下することを防止する配管落下防止装置を有することを特徴とする請求項１から４のいずれか１項に記載の既存配管の撤去装置。
【請求項６】
建築物でスラブを縦方向に貫通している既存配管を撤去する既存配管の撤去方法であって、
前記既存配管の一部を切断する切断工程と、
前記切断工程により形成された部位に伸縮装置を取り付ける取付け工程と、
前記取付け工程により取り付けられた前記伸縮装置の上下方向の長さ調整を行なう長さ調整工程と、
前記切断工程により形成された部位に対して下方向の負荷を加える負荷工程と、を含むことを特徴とする既存配管の撤去方法。
【請求項７】
前記既存配管を撤去する前に、前記既存配管の落下を防止するための落下防止工程をさらに含むことを特徴とする請求項６記載の既存配管の撤去方法。
【発明の詳細な説明】
【技術分野】
【０００１】
本発明は、建物内に設けられた既存配管の撤去装置および既存配管の撤去方法に関する。
【０００２】
従来から、建物内に施設された配管を取り替える場合、当該配管の埋設部分の周囲を削ったり、壊したり、コアドリル等を用いて抜き取る必要があった。しかしながら、これらの手法では、取り替え時に騒音、振動、粉塵等が問題となり、周辺住民等に影響を与えることが問題視されていた。そこで、種々の研究開発が行なわれている。
【０００３】
例えば、特許文献１（斎久工業株式会社、特開２０１０−２３０１１２号公報）には、ハツリ作業の騒音を無くし、コンクリートのガラや塵埃の発生を防いで、既設配管をコンクリートスラブや壁等の既設建物の貫通穴から容易にかつ確実に抜管することできる既設配管の抜管装置および既設配管の抜管方法について開示されている。
【０００４】
特許文献１（特開２０１０−２３０１１２号公報）記載の既設配管の抜管装置は、建物の構造部分に貫通して配置されて下端部が切断された既設配管を、構造部分から上方に抜くための既設配管の抜管装置であって、既設配管の切断端部に対して一端部が着脱可能に装着される既設配管接続具と、構造部分の下部にある基部に対して下端部が配置され、上端部が既設配管接続具の他端部を着脱可能に保持して、既設配管接続具を押し上げて既設配管を構造部分から上方に抜くための押上操作部と、を備えるものである。
【０００５】
また、特許文献２（株式会社ジャパンリフォーム、特開２０１１−２５６９９８号公報）には、建物における老朽化した既設配管を解体するための、騒音および振動の発生が可及的に低減され、且つ迅速な施工が可能な方法について開示されている。
【０００６】
特許文献２（特開２０１１−２５６９９８号公報）記載の方法は、建物の上下階に連通する配管スペース内にスリーブを介して軸方向に連接された配管を解体する方法であって、配管のうち、隣接するスリーブの中間に位置する部分の一部を上階および下階においてそれぞれ切断して除去し、切断した配管をジャッキによって上階方向に押し上げ、そして該切断した配管をスリーブから抜き取る工程を経るものである。
【先行技術文献】
【特許文献】
【０００７】
【特許文献１】特開２０１０−２３０１１２号公報
【特許文献２】特開２０１１−２５６９９８号公報
【発明の概要】
【発明が解決しようとする課題】
【０００８】
特許文献１記載の既設配管の抜管装置および特許文献２記載の方法においても、既存配管を上方から抜出させている。また、特許文献１記載の既設配管の抜管装置では、床上にジャッキ部材を配設するため、床等を傷めたり、壊したりする場合がある。また、押上操作部が大きく取り付けできない場合もある。
【０００９】
また、特許文献２記載の方法においては、上階および下階の両方の配管を切断する必要があり、作業に時間が掛かるうえ、作業員が多く必要となり人件費も増加するという問題がある。また、上階と下階の両方を切断することで上下階のどちらの方向へ管が抜けるかを限定できず、当該管が落下するおそれも生じる。
さらに、既存配管を上方から抜出させるには、約１階分に相当する距離の配管を上方向に移動させる必要があり、配管自体の重量が重く、装置が大きくなるに伴って、作業スペースが大きくなるとともに、作業に手間がかかる。
【００１０】
また、マンション、事務所ビル等では日照権またはデザインなどの関係上、上階と下階とにおいて、部屋数または面積が異なる建物が多く存在する。その関係上、建物においては、しばしば配管を縦方向（鉛直方向）から横方向（水平方向）に振ることがある。特に、図１７、１８に示す状態の場合、特許文献１または２に記載の装置または方法では、縦方向から横方向に振る継手９００，９１０の接続上部で切断しなければならず、通常ではスラブ孔から押し上げることが困難となる。
【００１１】
本発明の目的は、容易に既存配管を撤去することができる既存配管の撤去装置および既存配管の撤去方法を提供することである。
【課題を解決するための手段】
【００１２】
（１）
一局面に従う既存配管の撤去装置は、建築物でスラブを縦方向に貫通している既存配管を撤去する既存配管の撤去装置であって、既存配管の一部が切断された部位に挿入され、既存配管に対して下方へ負荷を与えるための伸縮装置と、伸縮装置の上下の少なくとも一方の長さを調整する長さ調整部と、を含むものである。
【００１３】
本発明にかかる既存配管の撤去装置においては、既存配管の一部が切断された部位に伸縮装置が挿入され、調整装置により長さの調整が行なわれる。そして、伸縮装置により既存配管に対して下方へ負荷が与えられる。
【００１４】
この場合、伸縮装置が既存配管の一部に挿入され、下方へ負荷を与え、配管をスラブから押し出すことができる。また、伸縮装置の上下少なくとも一方に長さ調整部を有するので、既存配管の一部が切断された部位にあわせて伸縮装置の長さを調整することができる。すなわち、既存配管の一部を切断する場合に、切断距離を細かく調整する必要がない。
また、伸縮装置の伸縮しろが、スラブ厚みよりも少ない場合でも、調整部を調整することにより、伸縮しろをリセットできるので、スラブ厚みの大きな場合であっても、容易に既存配管を撤去することができる。
さらに、既存配管について、伸縮装置を設ける階のみで切断すればよいので、他の階に移動して、他の階の既存配管を切断する手間を削減することができる。
また、配管の自重を階上へ上げる必要がなくなるため、装置も小型化でき、作業スペースも省スペースで実現することができる。なお、伸縮装置は、油圧式、手動式、電動式等の伸縮装置を含んでもよい。
また、本発明においては、押し下げ方式のため継手をスラブ孔に通す必要が無く、横方向（水平方向）の継手の接続箇所毎に切断する必要がなくなるため、高い作業効率を得ることができる。
【００１５】
（２）
第２の発明にかかる既存配管の撤去装置は、一局面に従う既存配管の撤去装置において、伸縮装置は、負荷を与えるために、既存配管の内径より大きく既存配管の外形より小さい第１円筒部と、既存配管の内径よりも小さい第２円筒部と、を有してもよい。
【００１６】
この場合、伸縮装置は、第１円筒部と第２円筒部を有する。第２円筒部により既存配管に伸縮装置の負荷の方向がずれないように調整でき、第１円筒部により既存配管の切断された端部に確実に負荷をかけることができる。また、スラブ内には、既存配管の径の孔が形成されており、第１円筒部が既存配管の径よりも小さいので当該スラブ内の孔に円滑に挿入され、既存配管に下方の力を加えることができる。
【００１７】
（３）
第３の発明にかかる既存配管の撤去装置は、第２の発明にかかる既存配管の撤去装置において、第１円筒部は、既存配管に負荷を与えるための外周面に凹凸形状が形成された凹凸筒を有してもよい。
【００１８】
この場合、伸縮装置は凹凸形状が形成された凹凸筒を有する。凹凸筒によりスラブ面との摩擦を軽減し押しぬきの力を効果的に伝えることができる。
【００１９】
（４）
第４の発明にかかる既存配管の撤去装置は、一局面に従うまたは第２、第３の発明にかかる既存配管の撤去装置において、伸縮装置は、油圧ジャッキを含んでもよい。
【００２０】
この場合、伸縮装置は、油圧ジャッキを含むので、油圧の力で、効率よく既存配管に負荷を加えることができる。
【００２１】
（５）
第５の発明にかかる既存配管の撤去装置は、一局面に従うまたは第２、第３、第４の発明にかかる既存配管の撤去装置において、伸縮装置は、下方に配管が落下することを防止する配管落下防止装置を有してもよい。
【００２２】
この場合、伸縮装置の下方に設けられた配管落下防止装置により配管の落下が防止される。すなわち、スラブから外れた配管の落下を防止することができるので、階下の安全を確保することができる。
【００２３】
（６）
他の局面に従う既存配管の撤去方法は、建築物でスラブを縦方向に貫通している既存配管を撤去する既存配管の撤去方法であって、既存配管の一部を切断する切断工程と、切断工程により形成された部位に伸縮装置を取り付ける取付け工程と、取付け工程により取り付けられた伸縮装置の上下方向の長さ調整を行なう長さ調整工程と、切断工程により形成された部位に対して下方向の負荷を加える負荷工程と、を含むものである。
【００２４】
本発明にかかる既存配管の撤去方法では、切断工程により既存配管の一部が切断され、切断工程により形成された部位に対して、取付け工程により伸縮装置が取り付けられる。長さ調整工程により長さ調整を行い、負荷工程により下方向の負荷が加えられる。
【００２５】
その結果、既存配管の一部が切断された部位に対して下方へ負荷が与えられる。この場合、既存配管に対して下方へ負荷を与え、配管をスラブから押し出すことができる。
【００２６】
（７）
第７の発明にかかる既存配管の撤去方法は、他の局面に従う既存配管の撤去方法において、既存配管を撤去する前に、既存配管の落下を防止するための落下防止工程をさらに含んでもよい。
【００２７】
この場合、落下防止工程により既存配管を撤去した場合の既存配管の落下を防止することができる。また、スラブから外れた配管の落下を防止することができるので、階下の安全を確保することができる。
【発明の効果】
【００２８】
以上のように、本発明によって、容易に既存配管を撤去することができる。
【図面の簡単な説明】
【００２９】
【図１】本実施の形態に係る既存配管の撤去装置の全体概略の一例を示す模式的平面図である。
【図２】上治具を説明するための模式的平面図である。
【図３】油圧ジャッキ部を説明するための模式的平面図である。
【図４】下治具を説明するための模式的平面図である。
【図５】建物における撤去すべき既存配管を説明するための模式的断面図である。
【図６】図５の配管の一部拡大を示す模式的断面図である。
【図７】撤去装置の一部を取り付けた状態を示す模式的断面図である。
【図８】配管の部位に上治具を取り付ける状態を示す模式的斜視図である。
【図９】配管の部位に下治具を取り付ける状態を示す模式的斜視図である。
【図１０】撤去装置の全てを取り付けた状態を示す模式的断面図である。
【図１１】油圧ジャッキ部を伸縮させる状態を示す模式的断面図である。
【図１２】下階のスラブから配管が抜ける状態を示す模式的断面図である。
【図１３】下階のスラブから配管が抜ける状態を示す模式的断面図である。
【図１４】下階のスラブから配管が抜ける状態を示す模式的断面図である。
【図１５】既存配管の落下防止工程の一例を示す模式的断面図である。
【図１６】下治具の他の例を示す模式的斜視図である。
【図１７】既存配管の状態を説明するための模式図である。
【図１８】既存配管の状態を説明するための模式図である。
【発明を実施するための形態】
【００３０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３１】
また、本発明の装置および方法が適用される建物は、例えば戸建住宅、共同住宅、マンション、アパート、宿泊施設、旅館、ホテル、ビジネスホテル、公共施設、学校、役所、病院、駅舎、老人ホーム、図書館、美術館、商業施設、百貨店、スーパーマーケット、ビジネスビル、その他任意の建築物、すなわち、およそ上下階に連通する配管を有する建物である。
【００３２】
さらに、本発明の装置および方法が適用される配管は、例えば主として直管からなる給排水管のほか、ガス管、汚水管、その他任意の配管にも適用することができる。
また、配管を構成する材質としては、例えば鋼管、ステンレス鋼管、鋳鉄管などのほか、亜鉛メッキ鋼管、塩化ビニルライニング鋼管、ポリエチレン粉体塗装鋼管など、現在給排水管またはガス管等に対して使用されている種々の材質に対して適用することができる。
【００３３】
また、本発明の装置および方法が適用される配管は、配管の呼び径がφ２０以上φ１５０以下、好ましくは、φ２５以上φ５０以下程度の管に適用することができる。なお、本発明の装置および方法は、給排水管またはガス管等の任意の配管すべてに適用することができる。
【００３４】
＜既存配管の撤去装置の全体概略＞
図１は、本実施の形態に係る既存配管の撤去装置１００の全体概略の一例を示す模式的平面図である。
【００３５】
（撤去装置１００）
図１に示すように、既存配管の撤去装置１００は、主に上治具２００、油圧ジャッキ部３００、および下治具４００からなる。
上治具２００、油圧ジャッキ部３００、下治具４００は、それぞれ個々の装置からなる。上治具２００は、油圧ジャッキ部３００の上端部に接続可能に形成され、下治具４００は、油圧ジャッキ部３００の下端部に接続可能に形成されている。以下、個々の装置について説明を行なう。
【００３６】
（上治具２００）
図２は、上治具２００を説明するための模式的平面図である。
上治具２００は、主に筒部２１０、鍔部（フランジ形状）２２０、配管保持部２３０、および棒部材２５０（図８参照）を有する。
筒部２１０には、複数の孔２４０が設けられている。棒部材２５０は、当該複数の孔２４０の一の孔に挿入可能な形状からなる。
【００３７】
また、鍔部２２０の中央には、筒部２１０を挿入可能な孔２１２（図８参照）が形成されている。鍔部２２０は、配管５００（図５参照）の外周を保持する配管保持部２３０を有する。
配管保持部２３０は、一対の湾曲板形状からなり、配管５００（図５参照）の外周を挟持できる形状からなる。
【００３８】
また、上治具２００は、後述する油圧ジャッキ部３００による圧力に耐えるものである限り、当業者に公知のものを使用することができ、鉄製、鋼製、アルミニウム製、硬質樹脂製など、その他任意の材質からなることが好ましい。
【００３９】
（油圧ジャッキ部３００）
図３は油圧ジャッキ部３００を説明するための模式的平面図である。
油圧ジャッキ部３００は、主に油圧ジャッキ３１０、上架台３２０、下架台３３０、上治具保持部３５０、下治具保持部３６０、ワイヤー３７０および落下防止部３８０を有する。
【００４０】
油圧ジャッキ３１０は、油圧により内蔵されたシリンダ３１１（図１１参照）が伸縮する。また、上架台３２０は、板部材からなる。上架台３２０は、一面に油圧ジャッキ３１０の上部と接続する接続部を有し、他面に上治具２００の筒部２１０を保持可能な上治具保持部３５０を有する。
【００４１】
また、下架台３３０は、板部材からなる。下架台３３０は、一面に油圧ジャッキ３１０の下部と接続する接続部を有し、他面に後述する下治具４００を保持する下治具保持部３６０および、ワイヤー３７０が設けられている。ワイヤー３７０の端部には、回転可能部材３９０を介して落下防止部３８０が設けられている。
下治具保持部３６０は、一対の湾曲板形状からなり、下治具４００の外周を挟持できる形状からなる。
【００４２】
（下治具４００）
図４は、下治具４００を説明するための模式的平面図である。
下治具４００は、主に接続部４１０、抜き治具４２０、挿入保持部４３０を有する。
接続部４１０は、下治具保持部３６０に内嵌可能に設けられる。抜き治具４２０は、後述するように、配管５００（図５参照）の内径よりも大きく外径よりも小さい径で設けられる。
挿入保持部４３０は、配管５００（図５参照）の内径よりも小さく設けられる。また、抜き治具４２０および挿入保持部４３０の詳細については後述する。
【００４３】
また、下治具４００は、油圧ジャッキ部３００による圧力に耐えるものである限り、当業者に公知のものを使用することができ、鉄製、鋼製、アルミニウム製、硬質樹脂製など、その他任意の材質からなることが好ましい。
【００４４】
（既存配管の撤去工程）
続いて、既存配管の撤去工程について説明を行なう。本実施の形態においては、既存配管の撤去装置１００を用いる。
既存配管の撤去工程は、既存配管５００の切断工程、撤去装置１００の取付け工程、既存配管５００の抜き工程、既存配管５００の落下保持工程からなる。
【００４５】
（既存配管５００の切断工程）
図５は、建物における撤去すべき既存配管５００を説明するための模式的断面図であり、図６は図５の配管５００の一部拡大を示す模式的断面図である。
【００４６】
図５に示すように、上階のスラブ８１０および下階のスラブ８２０の両方に渡って、配管５００が設けられている。そして、図６に示すように、例えば配管５００の部位ＣＬ１および部位ＣＬ２で切断を行なう。部位ＣＬ１と部位ＣＬ２との距離は、撤去装置１００の長さよりも大きく切断される。
スラブ８１０およびスラブ８２０の距離は、例えば、２６００ｍｍ以上３０００ｍｍ以下であり、スラブ８１０およびスラブ８２０の厚みは、例えば１００ｍｍ以上２００ｍｍ以下である。
【００４７】
（撤去装置１００の取付け工程）
次いで、撤去装置１００の取付け工程について説明する。撤去装置１００の取付け工程では、配管５００の切断した部位ＣＬ１および部位ＣＬ２の間に、撤去装置１００を取り付ける。
【００４８】
図７は、撤去装置１００の一部を取り付けた状態を示す模式的断面図であり、図８は、配管５００の部位ＣＬ１に上治具２００を取り付ける状態を示す模式的斜視図であり、図９は、配管５００の部位ＣＬ２に下治具４００を取り付ける状態を示す模式的斜視図であり、図１０は、撤去装置１００の全てを取り付けた状態を示す模式的断面図である。なお、各断面図において油圧ジャッキ部３００の断面は省略する。
【００４９】
図７に示すように、撤去装置１００の上治具２００を配管５００の部位ＣＬ１に取り付けて、下治具４００を配管５００の部位ＣＬ２に取り付ける。
具体的には、図８に示すように、上治具２００の筒部２１０の孔２４０に棒部材２５０を差しこみ、鍔部２２０の孔２１２に筒部２１０を挿入する。
【００５０】
次いで、配管５００の内部に、上治具２００の筒部２１０を挿入し、配管保持部２３０により、配管５００の外周面を保持させる。したがって、配管保持部２３０の内周径は、挿入可能なように配管５００の外径φＣよりも少し大きく形成される。
【００５１】
一方、図９に示すように、挿入可能なように下治具４００の挿入保持部４３０の直径φＢは、配管５００の内径φＤよりも少し小さく設けられている。
また、挿入可能なように、下治具４００の抜き治具４２０の直径φＡは、配管５００の外径φＣよりも小さく、配管５００の内径φＤよりも大きな径で設けられる。そのため、下治具４００の挿入保持部４３０が配管５００の内径φＤ内に中に挿入され、抜き治具４２０の下端部が配管５００の上端部に接触された状態となる。
【００５２】
続いて、図１０に示すように、油圧ジャッキ部３００の回転可能部材３９０により落下防止部３８０を回転させ、配管５００の軸方向に沿って、配管５００の内部に挿入する。回転可能部材３９０は、落下防止部３８０を鉛直方向に延在させるために設けられている。
なお、落下防止部３８０を鉛直方向の姿勢で既存配管５００内を下方に移動させる場合には、回転可能部材３９０は、必須でない。
【００５３】
そして、落下防止部３８０が配管５００の下端部から外へ出された場合、落下防止部３８０を配管５００の下端に水平になるように回転可能部材３９０を回転させて、落下防止部３８０を水平に維持させる。
最後に、上治具２００に油圧ジャッキ部３００の上治具保持部３５０を取り付けて、ほぼ同時に、下治具４００に下治具保持部３６０を取り付ける。
【００５４】
（既存配管の抜き工程）
図１１は、油圧ジャッキ部３００を伸縮させる状態を示す模式的断面図であり、図１２から図１４は、下階のスラブから配管が抜ける状態を示す模式的断面図である。
【００５５】
次に、既存配管の抜き工程においては、図１１に示すように、油圧ジャッキ部３００が徐々に伸長される。すなわち、鉛直下方向に力Ｆが加えられる。そして、図１２から図１４に示すように、配管５００が下治具４００により鉛直下方向へ押される。
【００５６】
図１２から図１４に示すように、この場合、配管５００が下治具４００の挿入保持部４３０により保持されつつ、抜き治具４２０の下端部を力Ｆにより下方へ押す。さらに、配管５００よりも径が小さい抜き治具４２０は、スラブ８２０の配管５００の挿入されていた部分に挿入され、配管５００を押し出しきることができる。すなわち、抜き治具４２０の直径φＡは、配管５００の外径φＣよりも小さいため、スラブ８２０において抜き治具４２０を容易に貫通させることができる。
【００５７】
この場合、配管５００には、油圧ジャッキ部３００の伸張による力Ｆのみではなく、配管５００自体の自重も自然と効果的に加算される。そのため、容易に既存配管５００を撤去することができる。
すなわち、上方へ既存配管を移動させる場合と比較して、最長３０００ｍｍの既存配管５００の重量と長さとを移動させる必要がなくなるため、容易に既存配管５００を撤去することができる。
【００５８】
（既存配管の落下防止工程）
図１５は、既存配管の落下防止工程の一例を示す模式的断面図である。
【００５９】
図１５に示すように、配管５００が、スラブ８２０から外れ、自重により下方へ落下し、水平方向に維持された落下防止部３８０により保持される。その結果、配管５００が下階の床へ落下し、床または他の配管、機器を破壊することを防止できる。
【００６０】
（下治具４００の他の例）
図１６は、下治具４００の他の例を示す模式的斜視図である。
【００６１】
図１６に示すように、下治具４００ａは、円筒状からなる抜き治具４２０の代わりに、凹凸形状からなる抜き治具４２０ａを有する。
抜き治具４２０ａは、断面矩形状が放射状に突出した形状からなる。
なお、本実施の形態においては、抜き治具４２０，４２０ａが円筒状、凹凸形状からなる場合について説明したが、これに限定されず、その他任意の形状からなってもよい。
【００６２】
以上のように、本発明にかかる撤去装置１００は、撤去装置１００における下治具４００の挿入保持部４３０が既存配管５００の一部に挿入されるので、配管５００へ力を確実に加えることができ、抜き治具４２０から配管５００に対して下方へ力Ｆを与えることができるので、配管５００をスラブ８２０から容易に、押し出して撤去することができる。
また、スラブ８２０から既存配管５００とスラブ８２０とを固定している箇所が外れた段階で、配管５００の重力を利用して、既存配管５００を下方へ移動させることができる。また、落下防止部３８０によりスラブ８２０から外れた配管５００の落下を防止することができるので、階下の安全を確保することができる。
【００６３】
さらに、既存配管５００を上方に押し出す場合と比較して、配管５００自身の重量に抗して配管５００を押し出す場合には、配管５００の自重に押し出す力Ｆを加えた力と、配管５００を押し抜く距離の移動、例えば最長３０００ｍｍの距離の移動が求められるが、本発明においては、配管５００自身の重量を利用するため、力Ｆを低減することができ、簡易な装置で対応することができる。さらに、配管５００の自重によりスラブ８２０内を移動させることができるので、装置の拡大化を防止することができる。
【００６４】
さらに、既存配管５００について、撤去装置１００を設ける階のみで切断すればよいので、他の階に移動して、他の階の既存配管５００を切断する手間を削減することができる。また、作業スペースも省スペースで実現することができる。
【００６５】
さらに、撤去装置１００において、上治具２００を有するので、既存配管５００の一部が切断された部位にあわせて長さを調整することができる。すなわち、既存配管５００の一部を切断する場合に、切断する位置および切断長さを留意する必要がない。また、油圧ジャッキ部３００の伸縮しろが不足する場合でも、長さ調整を行なうことにより伸縮しろをリセットすることができる。
【００６６】
具体的には、油圧ジャッキ部３００のシリンダ３１１のみではなく、上治具２００の棒部材２５０を差し込む孔２４０の位置を変更させて伸縮しろの調整をおこなってもよい。
【００６７】
また、挿入保持部４３０により既存配管５００に油圧ジャッキ部３００の負荷の方向がずれないように調整でき、抜き治具４２０により既存配管５００の切断された端部に確実に負荷をかけることができる。
さらに、下治具４００ａを用いた場合であっても、既存配管５００の切断された端部に確実に負荷をかけることができる。
【００６８】
また、本発明にかかる撤去装置１００においては、撤去装置１００の上治具２００および下治具４００を配管５００の口径（サイズ）にあわせて変更することにより、各種サイズの配管５００に適用することができる。すなわち、撤去装置１００の上治具２００および下治具４００は、既存配管の口径（サイズ）に応じて、個々サイズに応じた器具からなってもよい。
【００６９】
また、スラブ８１０およびスラブ８２０の床面に撤去装置１００の端部を設けないため、スラブ８１０およびスラブ８２０の床面に影響を与えることがない。すなわち、床面を損壊させることを確実に防止できる。また、モルタルの除去を容易におこなうことができる。
【００７０】
さらに、当然のことながら、配管５００の削りまたはコア抜きの作業が軽減され、騒音、振動、を最小限にすることができるとともに、短時間で既存配管５００の撤去を行なうことができる。
【００７１】
なお、本実施の形態において、上治具２００を説明したが、手動に限定されず、自動に伸張する伸張装置を設けてもよい。また、本実施の形態においては、油圧ジャッキ部３００を設けることとしたが、これに限定されず、手動式、電動式であってもよい。また、油圧に限定されず、他の任意の流体、気体等からなってもよい。
【００７２】
本実施の形態においては、既存配管の撤去装置１００が、既存配管の撤去装置に相当し、上治具２００、油圧ジャッキ部３００、および下治具４００、４００ａが、伸縮装置に相当し、落下防止部３８０が、配管落下防止装置に相当し、上治具２００が、長さ調整部に相当し、油圧ジャッキ部３００が油圧ジャッキに相当し、抜き治具４２０、４２０ａが第１円筒部に相当し、挿入保持部４３０が第２円筒部に相当し、下治具４００ａが凹凸筒に相当する。
【００７３】
本発明の好ましい実施の形態は上記の通りであるが、本発明はそれらだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００７４】
１００  既存配管の撤去装置
２００  上治具
３００  油圧ジャッキ部
３８０  落下防止部
４００  下治具
４００ａ  下治具
４２０  抜き治具
４２０ａ  抜き治具
４３０  挿入保持部
【図１】
2014118779.tif 000003
【図２】
2014118779.tif 000004
【図３】
2014118779.tif 000005
【図４】
2014118779.tif 000006
【図５】
2014118779.tif 000007
【図６】
2014118779.tif 000008
【図７】
2014118779.tif 000009
【図８】
2014118779.tif 000010
【図９】
2014118779.tif 000011
【図１０】
2014118779.tif 000012
【図１１】
2014118779.tif 000013
【図１２】
2014118779.tif 000014
【図１３】
2014118779.tif 000015
【図１４】
2014118779.tif 000016
【図１５】
2014118779.tif 000017
【図１６】
2014118779.tif 000018
【図１７】
2014118779.tif 000019
【図１８】
2014118779.tif 000020